(57)【特許請求の範囲】
【請求項１】
基端部(2a)を本体(1) の後面に貫通させた取手(2) を該本体(1)の前面に前後方向に回動可能に軸支して設けるとともに、本体(1) の後面にフック(5) を前後方向に軸支し、該フック(5) を前記取手(2) の基端部(2a)とを第１の枢着ピン(8a)をもって一端を枢着したリンクプレート(8) の他端とを第２の枢着ピン(8b)をもって枢着して該取手(2) の起倒作用によりフック(5) が連動して鎖錠位置と解錠位置をとる鎖錠装置であって、取手(2) が伏倒した状態にあっては第１の枢着ピン(8a)が、前記取手(2) の本体(1) への枢軸部と第２の枢着ピン(8b)との中立点より本体(1) の前面側に位置する構造とするとともにフック(5) が箱本体(55)の受け金具(55a) に係合する鎖錠位置をとる場合にフック(5)の係合顎部(5C)が本体(1) の先端と対向する位置となる構造とし、さらに、フック(5)の係合顎部(5C)の基端と取手（２）のリンク片の下端延長部(2C)にロッド棒の枢着部（5d）、(2d)を設け、この枢着部（5d）、(2d)にロッド棒(13)、(14)の基端を枢支して、該ロッド棒(13)、(14)の先端に側方に設けた係止用のスライダー(15)を箱本体(55)に取り付けた受金具(55b)に係脱させて鎖錠、解錠を行うことを特徴とする扉の鎖錠装置。
【発明の詳細な説明】
【０００１】
【発明の属する技術分野】
本発明は、電気収納箱の扉に取り付けられる扉の鎖錠装置に関するものである。
【０００２】
【従来の技術】
従来の扉の鎖錠装置としては、図８に示す平面ハンドルのように本体５１に回動自在に軸支した軸５２の基端に取り付けた引掛けベロ５３を軸５２の先端に起伏自在に取り付けたハンドル５４を引き起こしたうえ回動操作をして、該引掛けベロ５３を箱本体５５に設けた係止部５５ａに係止させるものであった。
【０００３】
【発明が解決しようとする課題】
ところが、箱本体５５と扉５６との間に高い気密性を要求する場合には、箱本体５５と扉５６との間に介在させたパッキン５７は弾発力の強い発泡度の低い硬めのものを使用するとともに圧縮割合を多くして締めつけるものである。そのため、前記のような引掛けベロ５３を箱本体５５に設けた係止部５５ａに軸５２を中心に回動させて係止させるものにあっては引掛けベロ５３がパッキン５７の弾発力に押圧されている係止部５５ａに擦りながら回動するためハンドルの操作が困難であった。
【０００４】
【課題を解決するための手段】
前記の課題を解決するためになされた本発明の扉の鎖錠装置は、基端部を本体の後面に貫通させた取手を該本体の前面に前後方向に回動可能に軸支して設けるとともに、本体の後面にフックを前後方向に軸支し、該フックを前記取手の基端部とを第１の枢着ピンをもって一端を枢着したリンクプレートの他端とを第２の枢着ピンをもって枢着して該取手の起倒作用によりフックが連動して鎖錠位置と解錠位置をとる鎖錠装置であって、取手が伏倒した状態にあっては第１の枢着ピンが、前記取手の本体への枢軸部と第２の枢着ピンとの中立点より本体の前面側に位置する構造とするとともにフックが箱本体の受け金具に係合する鎖錠位置をとる場合にフックの係合顎部が本体の先端と対向する位置となる構造とし、さらに、フックの係合顎部の基端と取手のリンク片の下端延長部にロッド棒の枢着部を設け、この枢着部にロッド棒の基端を枢支して、該ロッド棒の先端に側方に設けた係止用のスライダーを箱本体に取り付けた受金具に係脱させて鎖錠、解錠を行うことを特徴とするものである。また、取手の伏倒状態と引き起し状態を保持する反転バネを設けることが好ましい。
【０００５】
【発明の実施の形態】
次に、本発明の好ましい実施の形態を図面に基づき説明する。
１は箱本体５５の開口部を開閉する扉５６に固定する本体、２は取手であり、該取手２は基端部２ａを本体１の後面に貫通させ該本体１の前面に前後方向に回動可能に軸支して設けてある。すなわち、本体１の前面から後面に亘って透設した角孔部３に基端部２ａを貫通させたうえ軸孔２ｂに軸ピン４をもって本体１への枢軸部として前後方向に回動可能に軸支されて設けられている。また、該本体１の後面即ち角孔部３の後面上部に設けた軸受凹部６に前後方向に回動可能にフック５が軸支されている。このフック５は基端に軸孔５ａを設けた軸受板部５ｂの先端上方に向けて係合顎部５ｃを連設した鉤状のものであり、軸孔５ａに軸ピン７を挿通したうえ前記軸受凹部６に軸支されている。
【０００６】
さらに、該フック５の係止顎部５ｃの基端を前記取手２の基端部２ａとを第１の枢着ピン８ａをもって一端を枢着したリンクプレート８の他端とを第２の枢着ピン８ｂをもって枢着して該取手２の起倒作用によりフック５が連動して鎖錠位置と解錠位置をとるものとされている。そして、取手２が伏倒した状態にあっては第１の枢着ピン８ａが、前記取手２の本体１への枢軸部である軸ピン４と第２の枢着ピン８ｂとの中立点すなわち直線位置より本体１の前面側に位置する構造とするとともにフック５が係止顎部５ｃを箱本体５５の受け金具５５ａに係合する鎖錠位置をとる場合にフック(5)の係合顎部(5C)が本体(1) の先端と対向する位置となる構造とするものである。
【０００７】
すなわち、図１に示すように取手２が本体１の前面に当接した伏倒した状態にあっては第１の枢着ピン８ａが軸ピン４と第２の枢着ピン８ｂとの中立点即ち直線位置より本体１の前面側に位置する状態では、フック５側から係合解除方向の力が加わってもリンクプレート８が第１の枢着ピン８ａを本体１の前面側に向けた作用のみとなり第１の枢着ピン８ａに枢支した取手２の基端部２ａを前面側に附勢して取手２を軸ピン４を起点に本体１の前面を押圧して解錠することがないものである。
【０００８】
また、図２に示すように取手２を本体１から引き起こせば、軸ピン４を起点に取手２の基端部２ａが下向きに回動してリンクプレート８の一端を下方に引き寄せてリンクプレート８の他端に枢着したフック５を軸ピン７を起点に下方に向けて回動してフック５の係合顎部５ｃが箱本体５５の受け金具５５ａから離脱して解錠位置をとることとなる。
【０００９】
９は取手の伏倒状態と引き起し状態を保持する押しバネよりなる反転バネであり、該反転バネ９は本体１の角孔部３の下方側に設けた受段部１０と取手２の基端部２ａの後面に突設した伏倒保持押圧面１１ａと引き起し保持押圧面１１ｂを形成した楔状の押圧部１１との間に介在させて、取手２が本体１の前面に当接した伏倒した状態において伏倒保持押圧面１１ａを押圧して軸ピン４を起点に取手２が本体１の前面側に附勢して振動などにより取手２が浮き上がるのを防止する。また、解錠時において取手２が引き起こし状態となる場合は押圧部１１が本体１の前面側に回動して伏倒保持押圧面１１ａが反転バネ９から離脱して引き起し保持押圧面１１ｂが反転バネ９の臨む位置に移動して該引き起し保持押圧面１１ｂが反転バネ９に押圧されて取手２の引き起こし状態を保持するものである。
【００１０】
１２は悪戯等により取手２を引き起こして解錠されるのを防止するため、取手２を本体１の前面にロックするためのキーである。また、図1、図２に示すようにフック５の係合顎部５ｃの基端と取手２のリンク片の下端延長部２ｃにロッド棒の枢着部５ｄ、２ｄを設けている。図６及び図７（箱本体５５と扉５６を図示せず）に示す１３、１４は前記取手２の起伏動作により上下動するフック５の係合顎部５ｃの基端に設けた枢着部５ｄと取手２のリンク片の下端延長部２ｃに設けた枢着部２ｄに基端を枢支したロッド棒であり、該ロッド棒１３、１４は先端に側方に設けた係止用のスライダー１５を箱本体５５に取り付けた受金具５５ｂに係脱させて鎖錠、解錠を行うものである。１６はロッド棒１３、１４の上下動を案内するための案内金具である。
【００１１】
このように本発明の扉の鎖錠装置は、取手２を起伏させることによりリンクプレート８を介してフック５を前後方向に回動させて該フック５の係合顎部５ｃを箱体５５の受け金具５５ａの後面側から係脱させて鎖錠・解錠を行うものであるから、気密性を高めるため箱本体５５と扉５６との間に介在させたパッキン５７の圧縮割合を多くして締めつけても取手２の操作は容易なものである。また、フック５を前後方向に回動させる構成としているので、幅方向のスペースが狭くてすむので、図３に示すように箱本体５５の水切り部５５ｃの外側に設けた受け金具５５ａに対応して取り付けできるので箱内の有効面積を広くすることもできるものである。
【００１２】
また、取手２が本体１の前面に当接した伏倒した状態にあっては、第１の枢着ピン８ａが軸ピン４と第２の枢着ピン８ｂとの中立点即ち直線位置より本体１の前面側に位置する構造とするとともにフック５の係合顎部５ｃが箱体５５の受け金具５５ａに係合する鎖錠位置をとる構造としているので、風、振動等で扉５５に開く方向の力が加わってこれによりフック５に係合解除方向の力が加わってもリンクプレート８の第１の枢着ピン８ａ側を本体１の前面側に向けた作用のみとなり第１の枢着ピン８ａに枢着した取手２の基端部２ａを前面側に附勢して取手２を軸ピン４を起点に本体１の前面を押圧して解錠することがないものであるから、解錠を防止するための取手２の伏倒状態を保持するための係止手段を不要とするものである。
【００１３】
【発明の効果】
以上に説明したように、本発明の扉の鎖錠装置は、取手の操作による鎖錠・解錠作業が容易であるうえ鎖錠時にフック側から力が加わってもフックが解錠することがなく確実な鎖錠状態を保持できるものである。
従って、従来の扉の鎖錠装置の問題点を解決したものとして業界にもたらす益大なものである。
【図面の簡単な説明】
【図１】本発明の実施の形態を鎖錠状態で示す一部切側面図である。
【図２】本発明の実施の形態を解錠状態で示す一部切側面図である。
【図３】本発明の実施の形態を鎖錠状態で示す平面図である。
【図４】本発明の実施の形態を示す斜視図である。
【図５】本発明の実施の形態を分解して示す斜視図である。
【図６】本発明の実施の形態を鎖錠状態で示す斜視図である。
【図７】本発明の実施の形態を解錠状態で示す斜視図である。
【図８】従来例を示す斜視図である。
【符号の説明】
１  本体
２  取手
２ａ  基端部
３  角孔部
５  フック
５ｃ    係合顎部
６  軸受凹部
８  リンクプレート
８ａ    第１の枢着ピン
８ｂ    第２の枢着ピン
【図１】
0003560323.tif 000002
【図２】
0003560323.tif 000003
【図３】
0003560323.tif 000004
【図４】
0003560323.tif 000005
【図５】
0003560323.tif 000006
【図６】
0003560323.tif 000007
【図７】
0003560323.tif 000008
【図８】
0003560323.tif 000009